(57)【要約】【課題】従来よりもスムーズに遊技媒体を流下させることが可能な遊技機を提供する。【解決手段】本発明のパチンコ遊技機１０では、複合樋５１の内部が中州形突壁５８と区画リブ５９によって個別流下樋６１，６１に二分され、区画リブ５９と中州形突壁５８と間に媒体進入許容部１００が備えられている。そして、個別流下樋６１，１６を流下する遊技球は、媒体進入許容部１００に一部進入することでスムーズに流下することができる。【選択図】図２０
2011010712.tif 000002
【特許請求の範囲】
【請求項１】
複数の遊技媒体が横並びになって流下し得る幅の複合樋を備え、その複合樋の内部が、遊技媒体が１つずつしか流下できない幅の複数の個別流下樋に樋区画壁によって区画された遊技機において、
前記樋区画壁に貫通形成され、又は、前記樋区画壁の先端部の先方に設けられ、遊技媒体の一部が進入可能であると共に、前記樋区画壁を介して隣り合った１対の前記個別流下樋の双方から進入した遊技媒体同士が接触可能であり、かつ、前記遊技媒体全体が通過不可能な媒体進入許容部を備えたことを特徴とする遊技機。
【請求項２】
前記複合樋のうち前記樋区画壁を間に挟んで対向する両側対向壁には、下方に向かうに従って遊技媒体が前記樋区画壁に徐々に接近するように案内する幅寄せ部が設けられ、
前記媒体進入許容部は、前記樋区画壁のうち前記幅寄せ部に案内された遊技媒体が当接する部分から下方に延びていることを特徴とする請求項１に記載の遊技機。
【請求項３】
前記樋区画壁には、下方に向かうに従って厚さが徐々に小さくなって隣り合った前記個別流下樋同士を接近させる中州部が設けられ、前記媒体進入許容部は、前記樋区画壁のうち前記中州部の下端部から下方に延びていることを特徴とする請求項１又は２に記載の遊技機。
【請求項４】
前記各個別流下樋の幅方向の中央には、前記複合樋のうち前記樋区画壁が起立した内面と同じ面から突出して、その突出量が前記樋区画壁より小さいガイドリブが備えられ、遊技媒体は、前記ガイドリブの先端面上を転動するように構成されたことを特徴とする請求項１乃至３の何れか１の請求項に記載の遊技機。
【請求項５】
前記樋区画壁は、前記複合樋の幅方向の中央に配置されて、前記複合樋を１対の前記個別流下樋に二分し、
前記１対の個別流下樋は、それぞれ上端と下端との間に第１と第２の屈曲部を有し、上端部では離間して配置され、前記上端部から前記第１屈曲部まで互いに略平行に延び、前記第１屈曲部から前記第２屈曲部まで互いに接近するように延び、前記第２屈曲部から下端まで互いに略平行に延びた構成をなし、
前記媒体進入許容部は、前記第２屈曲部と略同一の位置から下方に配置されていることを特徴とする請求項１に記載の遊技機。
【請求項６】
隣り合った前記個別流下樋内へと遊技媒体をタイミングをずらして排出する遊技媒体排出手段を備えたことを特徴とする請求項１乃至５の何れか１の請求項に記載の遊技機。
【請求項７】
遊技機の上端部に設けられて遊技媒体を貯留するための貯留タンクと、
払出条件の成立に起因して遊技媒体が排出される払出装置とを備え、
前記複合樋は、前記払出装置と前記貯留タンクとを連絡する部分に配置されると共に、その複合樋に前記樋区画壁及び前記媒体進入許容部を形成したことを特徴とする請求項１乃至６の何れか１の請求項に記載の遊技機。
【発明の詳細な説明】
【技術分野】
【０００１】
本発明は、遊技媒体が流下し得る樋を備えた遊技機に関する。
【背景技術】
【０００２】
従来、この種の遊技機として、払出装置が排出した遊技媒体として遊技球を遊技機の前面に備えた払出皿に向けて樋で案内する構成のものが知られている（例えば、特許文献１参照）。また、その樋の一部が、複数の個別流下樋を纏めた複合樋になっているものもある。具体的には複合樋の内部が、樋区画壁によって１対の個別流下樋に二分され、各個別流下樋内が、遊技球が１つずつしか流下できない幅になっているものが知られている。そして、払出装置から１対の個別流下樋に向けて交互に遊技球が排出されるようになっている。
【先行技術文献】
【特許文献】
【０００３】
【特許文献１】特開２００８−２９５８２２号公報（［００１９］、第２図）
【発明の概要】
【発明が解決しようとする課題】
【０００４】
ところで、遊技球が１つずつしか流下できない幅の個別流下樋では、２つ以上の遊技球が一度に流下可能な幅の樋に比べて、省スペース化が図られたり、遊技球の噛み込みによる球詰まりの防止が図られる等の利点がある一方で、個別流下樋は幅方向における遊技球の移動の自由度が小さいので、流下中の遊技球が大きく減速されて、スムーズに遊技球が流下できなくなる事態が生じ得た。
【０００５】
本発明は、上記事情に鑑みてなされたもので、従来よりもスムーズに遊技媒体を流下させることが可能な遊技機の提供を目的とする。
【課題を解決するための手段】
【０００６】
上記目的を達成するためになされた請求項１の発明に係る遊技機は、複数の遊技媒体が横並びになって流下し得る幅の複合樋を備え、その複合樋の内部が、遊技媒体が１つずつしか流下できない幅の複数の個別流下樋に樋区画壁によって区画された遊技機において、樋区画壁に貫通形成され、又は、樋区画壁の先端部の先方に設けられ、遊技媒体の一部が進入可能であると共に、樋区画壁を介して隣り合った１対の個別流下樋の双方から進入した遊技媒体同士が接触可能であり、かつ、遊技媒体全体が通過不可能な媒体進入許容部を備えたところに特徴を有する。
【０００７】
請求項２の発明は、請求項１に記載の遊技機において、複合樋のうち樋区画壁を間に挟んで対向する両側対向壁には、流下方向の下流側に向かうに従って遊技媒体が樋区画壁に徐々に接近するように案内する幅寄せ部が設けられ、媒体進入許容部は、樋区画壁のうち幅寄せ部に案内された遊技媒体が当接する部分から流下方向に下流側に延びているところに特徴を有する。
【０００８】
請求項３の発明は、請求項１又は２に記載の遊技機において、樋区画壁には、流下方向の下流側に向かうに従って厚さが徐々に小さくなって隣り合った個別流下樋同士を接近させる中州部が設けられ、媒体進入許容部は、樋区画壁のうち中州部の下流側端部から流下方向の下流側に延びているところに特徴を有する。
【０００９】
請求項４の発明は、請求項１乃至３の何れか１の請求項に記載の遊技機において、各個別流下樋の幅方向の中央には、複合樋のうち樋区画壁が起立した内面と同じ面から突出して、その突出量が樋区画壁より小さいガイドリブが備えられ、遊技媒体は、ガイドリブの先端面上を転動するように構成されたところに特徴を有する。
【００１０】
請求項５の発明は、請求項１に記載の遊技機において、樋区画壁は、複合樋の幅方向の中央に配置されて、複合樋を１対の個別流下樋に二分し、１対の個別流下樋は、それぞれ流下方向の上流端と下流端との間に第１と第２の屈曲部を有し、上流側端部では離間して配置され、上流側端部から第１屈曲部まで互いに略平行に延び、第１屈曲部から第２屈曲部まで互いに接近するように延び、第２屈曲部から下流端まで互いに略平行に延びた構成をなし、媒体進入許容部は、第２屈曲部と略同一の位置から下流側に配置されているところに特徴を有する。
【００１１】
請求項６の発明は、請求項１乃至５に記載の遊技機において、隣り合った個別流下樋内へと遊技媒体をタイミングをずらして排出する遊技媒体排出手段を備えたところに特徴を有する。
【００１２】
請求項７の発明は、請求項１乃至６の何れか１の請求項に記載の遊技機において、遊技機の上端部に設けられて遊技媒体を貯留するための貯留タンクと、払出条件の成立に起因して遊技媒体が排出される払出装置とを備え、複合樋は、払出装置と貯留タンクとを連絡する部分に配置されると共に、その複合樋に樋区画壁及び媒体進入許容部を形成したところに特徴を有する。
【発明の効果】
【００１３】
［請求項１の発明］
請求項１の遊技機では、複合樋のうち個別流下樋同士の間を区画する部分に、遊技媒体の一部が進入可能な媒体進入許容部を備えたので、個別流下樋の幅を広げずにその幅方向で遊技媒体の移動の自由度が高くなり、遊技媒体をスムーズに流下させることが可能になる。また、媒体進入許容部は遊技媒体全体が通過不可能になっているので、各個別流下樋毎に遊技媒体を区分けした状態を維持して流下させることができる。しかも、媒体進入許容部は、１対の個別流下樋の双方から進入した遊技媒体同士が接触可能な大きさになっているので、一方の個別流下樋を流下する遊技媒体の一部が媒体進入許容部に進入する場合も、他方の個別流下樋を流下する遊技媒体の一部が媒体進入許容部に進入する場合も、それらの進入方向の奥部まで遊技媒体を媒体進入許容部に進入させることができ、媒体進入許容部の有効利用が図られる。
【００１４】
［請求項２の発明］
請求項２の遊技機では、媒体進入許容部が樋区画壁のうち幅寄せ部に案内された遊技媒体が当接する部分より流下方向の下流側に配置されているので、遊技媒体の一部が媒体進入許容部に進入し易くなり、媒体進入許容部の有効利用が図られて遊技媒体がスムーズに流下するようになる。
【００１５】
［請求項３の発明］
請求項３の遊技機では、遊技媒体は中州部に沿って樋区画壁に接近する。そして、媒体進入許容部が、樋区画壁のうち中州部の流下方向下流側端部から下流側に延びているので、遊技媒体の一部が媒体進入許容部に進入し易くなり、媒体進入許容部の有効利用が図られて遊技媒体がスムーズに流下するようになる。
【００１６】
［請求項４の発明］
請求項４の遊技機では、複合樋の内部に備えたガイドリブによって遊技媒体を案内するので、複合樋のうちガイドリブが立ち上がった外郭部分の壁の形状を簡素化することができる。
【００１７】
［請求項５の発明］
請求項５の遊技機では、遊技媒体は、各個別流下樋において第１屈曲部から第２屈曲部まで流下するときに区画壁に接近する。そして、媒体進入許容部が、第２屈曲部と略同一の位置から流下方向の下流側に配置されているので、遊技媒体の一部が媒体進入許容部に進入し易くなり、媒体進入許容部の有効利用が図られて遊技媒体がスムーズに流下するようになる。
【００１８】
［請求項６の発明］
請求項６の遊技機では、遊技媒体排出手段が隣り合った個別流下樋内へと遊技媒体をタイミングをずらして排出するので、隣り合った個別流下樋の双方から進入した遊技媒体同士が媒体進入許容部内で接触する確率が下がり、一方の個別流下樋から遊技媒体が媒体進入許容部に進入した場合も、他方の個別流下樋から遊技媒体が媒体進入許容部に進入した場合も、遊技媒体が媒体進入許容部のより一層奥部まで進入することができる。これにより、個別流下樋の幅方向で遊技媒体の移動の自由度が更に高くなり、各遊技媒体がさらにスムーズに流下する。
【００１９】
［請求項７の発明］
請求項７の構成によれば、貯留タンクから払出装置の間を連絡する部分で遊技媒体をスムーズに流下させることができ、貯留タンクから払出装置へと遊技媒体を安定して供給することが可能になる。
【図面の簡単な説明】
【００２０】
【図１】本発明の一実施形態に係るパチンコ遊技機の正面図
【図２】パチンコ遊技機の分解斜視図
【図３】パチンコ遊技機の分解斜視図
【図４】パチンコ遊技機の後面側斜視図
【図５】遊技球の流下経路の斜視図
【図６】パチンコ遊技機の背面図
【図７】パチンコ遊技機の側面図
【図８】ガラス扉を開いた状態のパチンコ遊技機の前面側斜視図
【図９】皿扉を開いた状態のパチンコ遊技機の前面側斜視図
【図１０】下皿誘導カセットの前側斜視図
【図１１】下皿誘導カセットの前面透視図
【図１２】下皿誘導カセットの前面透視図
【図１３】払出装置の主要部斜視図
【図１４】払出装置の側断面
【図１５】払出装置の部分側断面図
【図１６】払出装置以降の遊技球の流下経路の側断面図
【図１７】払出装置以降の遊技球の流下経路の一部破断斜視図
【図１８】払出装置以降の遊技球の流下経路の正断面図
【図１９】図１６のＡ−Ａ切断面における流路コア部品等の平断面図
【図２０】流路コア部品の斜視図
【図２１】変形例に係る払出装置以降の遊技球の流下経路の正断面図
【図２２】（Ａ）変形例に係る複合樋の斜視図、（Ｂ）変形例に係る複合樋の斜視図
【図２３】変形例に係る複合樋の一部破断斜視図
【図２４】変形例に係るタンク貯留部及び上辺樋の一部破断斜視図
【発明を実施するための形態】
【００２１】
［第１実施形態］
以下、本発明を適用したパチンコ遊技機１０に係る第１実施形態を、図１〜図２０に基づいて説明する。図１に示すように、本実施形態のパチンコ遊技機１０は、ガイドレール１２で囲まれた略円形の遊技領域Ｒ１を有し、遊技領域Ｒ１がガラス窓８３Ｗを通して視認可能になっている。
【００２２】
遊技領域Ｒ１の中央部には、表示装置３０が備えられ、遊技領域Ｒ１のうち表示装置３０より下方には、始動入賞口１４、大入賞口１５及びアウト口１６が、上から順に間隔を開けて並べて設けられている。また、遊技領域Ｒ１のうち表示装置３０の両側には、ランプ風車１７、始動ゲート１８、風車１９、一般入賞口２０，２１がそれぞれ設けられ、ガイドレール１２に沿った両側端部には、サイドランプ２２，２２が設けられている。また、遊技領域Ｒ１全体に亘って、図示しない複数の障害釘が起立している。
【００２３】
パチンコ遊技機１０の前面のうちガラス窓８３Ｗの下方には、上皿２６及び下皿２７が上下２段にして設けられている。また、パチンコ遊技機１０の前面における右下角部には操作ノブ２８が備えられている。そして、この操作ノブ２８を操作すると、上皿２６に貯留された遊技球（本発明の「遊技媒体」に相当する）が、順次、遊技領域Ｒ１の上部に弾き出され、それら遊技球が遊技領域Ｒ１を流下する。その遊技球が遊技領域Ｒ１を流下する途中で上記した各入賞口１４，１５，２０，２１に入球すると、その賞球として複数の遊技球が上皿２６内に払い出される。そして、上皿２６が満杯の状態で上記各入賞口１４，１５，２０，２１に遊技球が入球した場合には、その賞球としての複数の遊技球が下皿２７内に払い出される。
【００２４】
上記した一般入賞口２０、始動ゲート１８等の各部位の詳細構造は以下のようになっている。一般入賞口２０，２１は、遊技板１１から突出した部材の上面に開口を備えた、所謂ポケット構造をなし、遊技球が丁度１つ入球可能な大きさで上方に開口している。
【００２５】
始動ゲート１８は、遊技球が潜って通過可能な門形構造をなし、通過した遊技球は始動ゲート１８に内蔵された図示しない普通図柄始動スイッチによって検出される。この検出信号に基づいて、液晶表示画面３０Ｂの一角に設けられた普通図柄表示部１８Ｈにおいて図柄が変動表示される。具体的には、「０」〜「９」までの数字からなる数字図柄が所定期間に亘って変動表示された後、所定の数字図柄が停止表示される。
【００２６】
始動入賞口１４も、一般入賞口２０，２１と同様に、ポケット構造をなしている。始動入賞口１４の開口の左右両側には可動翼片１４Ａ，１４Ａが備えられている。これら両可動翼片１４Ａ，１４Ａは、常には起立状態になっており、このとき両可動翼片１４Ａ，１４Ａに挟まれた始動入賞口１４の開口幅は、遊技球が１つだけ入る大きさとなっている。そして、普通図柄表示部１８Ｈで停止表示された数字図柄が奇数になると、遊技板１１の裏に設けた図示しないソレノイドが駆動されて、可動翼片１４Ａ，１４Ａが所定期間（例えば、０．４秒間）に亘って横に倒される。すると、始動入賞口１４の側方を流下する遊技球が可動翼片１４Ａに受け止められて始動入賞口１４に案内されるようになって始動入賞口１４に入賞し易くなる。
【００２７】
始動入賞口１４に遊技球が入球すると、液晶表示画面３０Ｂにおいて図柄が変動表示される。具体的には、液晶表示画面３０Ｂには、通常、３つの特別図柄３１Ａ，３１Ｂ，３１Ｃが横並びに表示されている。これら各特別図柄３１Ａ，３１Ｂ，３１Ｃには、例えば、「０」〜「１１」の数字を表記した複数種類がそれぞれ備えられ、通常は、何れかの種類の特別図柄３１Ａ，３１Ｂ，３１Ｃが停止表示されている。そして、始動入賞口１４に遊技球が入賞したときに、これら３つの特別図柄３１Ａ，３１Ｂ，３１Ｃが、上下方向にスクロール表示され、所定時間後に、例えば、左、右、中の順で各特別図柄３１Ａ，３１Ｃ，３１Ｂが停止表示される。また、全ての特別図柄３１Ａ，３１Ｂ，３１Ｃが同じ図柄、即ち、ぞろ目になった場合に、遊技が「大当たり状態」になる。
【００２８】
なお、液晶表示画面３０Ｂにおいて特別図柄３１Ａ，３１Ｂ，３１Ｃが変動表示又は「大当たり状態」の最中に始動入賞口１４に入賞した場合、その入賞球は最大で４個まで保留記憶され、特別図柄３１Ａ，３１Ｂ，３１Ｃが停止表示又は「大当たり状態」が終了すると、その保留記憶に基づいて再び、特別図柄３１Ａ，３１Ｂ，３１Ｃが変動表示される。
【００２９】
大入賞口１５は、横長矩形に形成されて前方に開放しており、常には、可動扉１５Ｔにて閉塞されている。パチンコ遊技機１０が「大当たり状態」になると、可動扉１５Ｔが所定期間に亘って前側に倒れる。これにより、大入賞口１５が開放され、可動扉１５Ｔを案内にして、大入賞口１５に多くの遊技球が入賞可能となる。ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したかの何れかの条件が先に満たされた場合に終了する。また、「大当たり状態」は、最大で、例えば１５ラウンドまで継続される。
【００３０】
図２には、上記した遊技領域Ｒ１を前面に有した遊技板１１が示されている。パチンコ遊技機１０は、この遊技板１１と、機構枠８１と外枠８２とガラス枠８３と下皿扉８４とを組み付けてなる。以下、これら遊技板１１、機構枠８１等の説明において、遊技者に対向する側を前面側、その反対側を後面側と呼ぶこととする。
【００３１】
遊技板１１は、縦長の略長方形の木板における上部両角部を斜めにカットした形状になっている。また、遊技板１１には、複数の貫通孔（図示せず）が穿孔されて、それら貫通孔に上記した大入賞口１５、表示装置３０等（図１参照）が取り付けられている。さらに、遊技板１１の前面には、上記したガイドレール１２が取り付けられると共に、複数の障害釘（図１参照）が打ち付けられ、遊技板１１の後面には、図６に示すように、主制御基板３２Ａ及び従制御基板３２Ｂが取り付けられている。そして、これら主制御基板３２Ａ及び従制御基板３２Ｂによって前記した表示装置３０の表示画像や、可動翼片１４Ａの開閉動作や、遊技の当否確率の変更等の制御を行っている。
【００３２】
外枠８２（図２参照）は、木製の長板を縦長矩形状に接合した構造をなしている。そして、この外枠８２が遊技ホールの遊技島（図示しない）に固定される。外枠８２には、前面視左側の上下２箇所に金属製のヒンジベース８５，８５が取り付けられ、それら各ヒンジベース８５から上方に突出したヒンジピン８５Ｐが突出している。
【００３３】
機構枠８１は、ヒンジピン８５Ｐを介して外枠８２の一側部に回動可能に連結され、通常は、図４に示すように、外枠８２の前面に重ねた状態で施錠されている。また、図２に示すように、機構枠８１の内側面における後縁部からは、内側に向けて基板係止突壁７７Ｔが突出していて、その基板係止突壁７７Ｔより前方側が遊技板嵌合部７７になっている。そして、この遊技板嵌合部７７に前方から遊技板１１が嵌合されて固定され、図４に示すように、遊技板１１の後面の主制御基板３２Ａ等が後方に臨んでいる。
【００３４】
図２に示すように、機構枠８１の前面における下端右角部には、前記した操作ノブ２８が備えられている。そして、図８及び図９に示すように、機構枠８１のうち操作ノブ２８と反対側の側縁部に、ガラス枠８３と下皿扉８４とが回動可能に連結されている。また、これらガラス枠８３及び下皿扉８４は、通常は、機構枠８１の前面を覆った状態で施錠されている。
【００３５】
下皿扉８４は、前面側に前記下皿２７を備え、機構枠８１の前面のうち操作ノブ２８を除いた下端領域全体を覆っている。図８に示すように、下皿２７の底面には、排出孔２７Ｓが形成され、下皿２７の底面は排出孔２７Ｓに向かって緩やかに下っている。この排出孔２７Ｓは、常には閉じていて、下皿２７の下面に備えた球抜レバー４７の操作によって排出孔２７Ｓが開く。このとき、例えば、排出孔２７Ｓの下方に図示しない受容箱（所謂、ドル箱）を配置しておけば、下皿２７から受容箱（所謂、ドル箱）へと遊技球を移動することができる。また、図示しないが、下皿扉８４の後面には、下皿２７に連通した払出孔と抜球導入孔とが開口している。そして、上皿２６の満杯時に払出孔を通して遊技球が下皿２７に払い出されると共に、遊技を止める際に所定のボタンを押すことで、後述する球送りカセット８７内の遊技球が下皿２７に払い出される。
【００３６】
ガラス枠８３は、機構枠８１の前面のうち下皿扉８４にて覆われた下端領域を除く全体を覆っている。また、ガラス枠８３の下端部には前記した上皿２６が備えられ、その上皿２６の上方にはガラス窓８３Ｗが備えられている。さらに、ガラス枠８３の前面上端部における両角部には１対のスピーカ８３Ｓ，８３Ｓが備えられている。
【００３７】
図９に示すように、ガラス枠８３の後面には、ガラス枠８３の回動中心から離れた側の端部寄り位置に球供給孔２６Ｚが開口している。そして、この球供給孔２６Ｚを通して、上皿２６に貯留した遊技球を、次述する発射装置８６に供給することができる。また、ガラス枠８３の後面のうち球供給孔２６Ｚの下方には、球抜孔２６Ｘが開口している。この球抜孔２６Ｘは通常は閉じていて、上皿２６の上面に備えた球抜ボタン２６Ｂ（図１参照）を操作すると開き、上皿２６から下皿２７へと遊技球が移動する。ガラス枠８３の後面のうちガラス枠８３の回動中心寄り位置からは、後方に向けて上皿連結ダクト２６Ｔが突出している。そして、この上皿連結ダクト２６Ｔを通して機構枠８１側から上皿２６へと遊技球が払い出される。
【００３８】
図２に示すように、機構枠８１の前面のうち遊技板嵌合部７７より下側部分には、左右方向の中央に発射装置８６が備えられ、その発射装置８６の前面側に球送りカセット８７が取り付けられている。そして、上皿２６（図１参照）に貯留された遊技球が球供給孔２６Ｚ（図８参照）を介して球送りカセット８７に取り込まれ、発射装置８６に１つずつ供給される。なお、この球送りカセット８７及び次述する下皿誘導カセット８８は、透明な樹脂で構成されている。
【００３９】
図２に示すように、機構枠８１のうち機構枠８１の回動中心寄り位置には、前後方向に払出ダクト挿通孔８１Ｈが貫通形成されている。図１６に示すように、払出ダクト挿通孔８１Ｈの内部には、第１払出ダクト３４Ａと第２払出ダクト３４Ｂとが上下に並べた状態にして挿入され、それら第１と第２の払出ダクト３４Ａ，３４Ｂの端部開口が機構枠８１の前方に向かって開放している。そして、ガラス枠８３を閉じると上皿連結ダクト２６Ｔが第１払出ダクト３４Ａに接続されて、機構枠８１の後面側から第１払出ダクト３４Ａを通過して上皿２６に遊技球が払い出されるようになっている。
【００４０】
図９に示すように、機構枠８１の前面のうち回動中心寄り位置には、下皿誘導カセット８８が取り付けられている。図１０には、下皿誘導カセット８８のうち機構枠８１の前面に接合される側の面（後面）から見た状態が示されている。同図に示すように、下皿誘導カセット８８は、機構枠８１の前面に対向配置される前面壁８８Ｆの外縁部から側壁８８Ｓを機構枠８１に向けて張り出して備えている。そして、その側壁８８Ｓの先端を機構枠８１の前面に突き当てた状態にして固定され、機構枠８１の前面と前面壁８８Ｆとの間に遊技球を流下させる空間を形成している。
【００４１】
なお、前面壁８８Ｆのうち第１払出ダクト３４Ａと対向する位置にはダクト挿通孔８８Ｈが形成されている。また、図８に示すように、機構枠８１の前面からはダクト挿通孔８８Ｈを上方から覆うように突壁が突出し、その先端から可動扉８９が垂下している。そして、上皿連結ダクト２６Ｔは、ガラス枠８３と閉じる過程でダクト挿通孔８８Ｈに突入しかつ可動扉８９を上方側に押し開いて第１払出ダクト３４Ａに接続される。
【００４２】
図１１及び図１２には、下皿誘導カセット８８が機構枠８１の前面壁８８Ｆを前方から透かして見た状態が示されている。同図に示すように下皿誘導カセット８８内には、第２払出ダクト３４Ｂの下方位置から斜め右下に向かって延びたメインガイド壁９２が備えられ、そのメインガイド壁９２の下端下方には、可動ガイド９１が備えられている。この可動ガイド９１は、満杯検出センサ９０の弾発可動部９０Ｓによって上方に付勢されていて、通常は、メインガイド壁９２の下端から斜め下方に転落した遊技球を更に斜め下方に案内する。また、可動ガイド９１の右下延長上には、遊技球を下皿誘導カセット８８の前面側に案内する湾曲ガイド９６が備えられている。さらに、下皿誘導カセット８８のうち右下角部には、排出孔８８Ｘが前方に向かって開口している。そして、メインガイド壁９２、可動ガイド９１、湾曲ガイド９６にガイドされた遊技球が排出孔８８Ｘから下皿誘導カセット８８の前方に排出され、前記した下皿扉８４の図示しない払出孔を通して下皿２７に遊技球が払い出される。
【００４３】
下皿誘導カセット８８の上面における左右方向の中央には、ファール球導入孔８８Ｌが備えられ、そのファール球導入孔８８Ｌの下方には、複数のサブガイド壁９３，９４，９５が段違いに配置して備えられている。そして、発射装置８６から発射されて遊技領域Ｒ１に到達しなかった遊技球がファール球導入孔８８Ｌを通って下皿誘導カセット８８内に進入し、複数のサブガイド壁９３，９４，９５に案内されてメインガイド壁９２又は可動ガイド９１上に転落して排出孔８８Ｘへと案内される。
【００４４】
なお、下皿２７が満杯になると、図１２に示すように、下皿誘導カセット８８内で湾曲ガイド９６から可動ガイド９１に亘って遊技球が滞留し、それら遊技球の自重によって可動ガイド９１が押し下げられ満杯検出センサ９０がオンする。これにより、操作ノブ２８が満杯であることを検出することができる。
【００４５】
図４に示すように、機構枠８１の後面のうち遊技板嵌合部７７より下側部分には、前記した一般入賞口２０，２１、始動入賞口１４、大入賞口１５及びアウト口１６を通過して遊技板１１の後面側に取り込まれた遊技球を回収して遊技ホールの図示しない球循環システムに戻すための球回収ダクト８１Ｄが設けられている。また、その球回収ダクト８１Ｄの後方には、発射制御基板３２Ｍ、電源基板３２Ｆ、払出制御基板３２Ｌが取り付けられている。
【００４６】
図３に示すように、機構枠８１のうち基板係止突壁７７Ｔの後面からは、保護囲壁７６Ａが後方に向けて突出している。そして、図６に示すように、この保護囲壁７６Ａにより、主制御基板３２Ａ、従制御基板３２Ｂ及び表示装置３０等が上方及び両側方から覆われている。
【００４７】
図４に示すように、保護囲壁７６Ａの後面開口には、後面カバー７６Ｂが回動可能に組み付けられている。この後面カバー７６Ｂは、保護囲壁７６Ａの後面開口における上側部分を閉塞可能な大きさをなし、通常は閉塞状態に固定されている。
【００４８】
なお、保護囲壁７６Ａの後面開口のうち下側部分は常時開放され、主制御基板３２Ａが露出している。また、保護囲壁７６Ａ及び後面カバー７６Ｂは、透明な樹脂で構成されている。
【００４９】
図３に示すように、保護囲壁７６Ａの上端部には貯留タンク７５が設けられ、遊技ホールに備えた球循環システムから貯留タンク７５へと遊技球が供給されて一時的に貯留される。そして、貯留タンク７５の貯留された遊技球が、保護囲壁７６Ａの上辺に沿って保護囲壁７６Ａの後面視右側に流下してから、保護囲壁７６Ａの右側の側辺部分を鉛直下方に移動し、さらに、機構枠８１の払出ダクト挿通孔８１Ｈ（図２参照）の貫通孔を通過して前記した上皿２６又は下皿２７に払い出されるようになっている。
【００５０】
具体的には、図５に示すように、貯留タンク７５は、保護囲壁７６Ａの上面に一体形成された側壁を有して上面が開放した容器構造をなしている。また、貯留タンク７５は、図６に示すように、保護囲壁７６Ａを後側から見て左寄りに配置され、図５に示すように、保護囲壁７６Ａの前後方向の略全体に亘った大きさになっている。さらに、貯留タンク７５における後面視、右側の後端角部からは、右方向に上辺樋７８が延び、その上辺樋７８の終端部分が、保護囲壁７６Ａの後面視、右側辺部分に備えた側辺樋７９の上端部に連絡されている。なお、貯留タンク７５の底面には、板金７５Ｋが敷設されてアース接続され、これにより、遊技球の静電気が除去されるようになっている。
【００５１】
上辺樋７８は、遊技球が１つ分の幅の１対の上辺個別流下樋７８Ａ，７８Ａをパチンコ遊技機１０の前後方向に並べて備えた構造をなし、保護囲壁７６Ａの後端面に配置されている。また、上辺樋７８は、貯留タンク７５から側辺樋７８に向けて下るように僅かに傾斜しかつ、上辺樋７８の各上辺個別流下樋７８Ａは保護囲壁７６Ａの前後方向に蛇行した形状になっている。上辺樋７８では、貯留タンク７５側から段積み状態になって流下してきた遊技球群に、蛇行形状部で衝撃を与え、これにより、段積み状態の解消を図っている。
【００５２】
側辺樋７９は、遊技球が１つ分の幅の１対の側辺個別流下樋７９Ａ，７９Ａをパチンコ遊技機１０の左右方向に並べて備え、保護囲壁７６Ａの後端面に配置されている。そして、上辺樋７８の１対の上辺個別流下樋７８Ａ，７８Ａが、側辺樋７９の１対の側辺個別流下樋７９Ａ，７９Ａの上端部に連通している。この側辺樋７９の各側辺個別流下樋７９Ａも上辺樋７８と同様に前後方向に蛇行している。側辺樋７９では、各側辺個別流下樋７９Ａを蛇行形状としたことで遊技球の流下速度が抑えられるようになっている。なお、各側辺個別流下樋７９Ａの中間部には、球カウンタ７９Ｃ，７９Ｃが備えられ、各側辺個別流下樋７９Ａを通過する遊技球をカウントしている。
【００５３】
側辺樋７９の下端部は、図３に示すように、遊技板嵌合部７７における下端寄り位置に配置されて払出装置７２に接続されている。図１３に示すように、払出装置７２には、遊技球が１つのみ通過可能な大きさの流下通路７２Ａが対をなして横並びに設けられている。それら流下通路７２Ａ，７２Ａは、上下方向に延び且つ途中でクランク状に屈曲している。また、流下通路７２Ａ，７２Ａの始端部は、払出装置７２の上面に横並びになって開口し、側辺樋７９における側辺個別流下樋７９Ａ，７９Ａに連絡されている。一方、流下通路７２Ａ，７２Ａの終端部は、払出装置７２の下面に横並びになって開口して１対の球排出口７２Ｘ，７２Ｘ（図１５（Ａ）参照）になっている。
【００５４】
図１５（Ａ）に示すように、両流下通路７２Ａ，７２Ａの下端部同士の間にはスクリュー７０が設けられ、そのスクリュー７０から側方に張り出した螺旋翼７０Ａが各流下通路７２Ａ，７２Ａ内に突入して遊技球の通過を規制している（図１４参照）。そのスクリュー７０は、ステッピングモータ７３によって回転駆動可能となっており、スクリュー７０が１８０度回転する度に、螺旋翼７０Ａの下端部が各流下通路７２Ａ，７２Ａ内を交互に通過し、これにより１対の球排出口７２Ｘ，７２Ｘから交互に遊技球が排出される（図１５（Ｂ）参照）。結果、１対の球排出口７２Ｘ，７２Ｘから互いに異なる落下地点である後述する個別流下樋６１，６１へ交互に遊技球が流下することになる。
【００５５】
ステッピングモータ７３によるスクリュー７０の回転駆動角度は、前記した払出制御基板３２Ｌ（図４参照）によって制御されている。具体的には、前記した入賞口１４，１５，２０，２１等に遊技球が入賞すると、これを遊技板１１の裏面に備えた遊技球検出スイッチが検出して検出信号を払出制御基板３２Ｌに付与する。払出制御基板３２Ｌは、始動入賞口１４及び一般入賞口２０，２１の何れかに１つ遊技球が入賞する毎に、その賞球として例えば４個の遊技球が払出装置７２から排出されるようにステッピングモータ７３を駆動制御すると共に、遊技球大入賞口１５に１つ遊技球が入賞する毎に、その賞球として例えば１５個の遊技球が払出装置７２から排出されるようにステッピングモータ７３を駆動制御する。なお、両流下通路７２Ａ，７２Ａの下端部には、それぞれ払出センサ７１，７１（図１３参照）が設けられ、これら払出センサ７１が各流下通路７２Ａから排出された遊技球の数を確認するようになっている。
【００５６】
図５に示すように、払出装置７２における後端部は球抜部７２Ｖになっている。そして、球抜部７２Ｖの後面に備えた操作レバー７２Ｗ，７２Ｙを操作することで、流下通路７２Ａ，７２Ａの中間部が球抜部７２Ｖ内の図示しない流下路に連通し、球抜部７２Ｖの下面に備えた球抜孔７２Ｚ（図１６参照）から遊技球が排出される。
【００５７】
図１６に示すように、払出装置７２の下方には、払出装置７２の球排出口７２Ｘから排出された遊技球を、前記した払出ダクト挿通孔８１Ｈ側へと案内する払出流下経路Ｒ２と、払出装置７２の球抜部７２Ｖから排出された遊技球を、前記した球回収ダクト８１Ｄ（図示せず）を経由して遊技ホールの球循環システムに戻すための球抜流下経路Ｒ３とが設けられている。
【００５８】
払出流下経路Ｒ２の途中には、分配ボックス３４が設けられている。分配ボックス３４は、大箱部３６の上面前端寄り位置に小箱部３７を設けて、それら大箱部３６と小箱部３７の内部を連通させた構造になっている。小箱部３７の後面上端寄り位置には球受入口３７Ｋが形成され、その球受入口３７Ｋの下側の開口縁部から内側に向けてガイド突壁３８が張り出している。ガイド突壁３８は、斜め前側下方に向かって若干傾斜していて、そのガイド突壁３８の先端は小箱部３７における前後方向の中間に位置している。
【００５９】
球受入口３７Ｋの上側の開口縁には、軸支部４１Ｊが備えられて、その軸支部４１Ｊから減速回動板４１から垂下されている。また、軸支部４１Ｊより前側には、ストッパ壁４２が小箱部３７の天井面から垂下されている。そして、減速回動板４１は、通常は、軸支部４１Ｊから鉛直下方に垂下して球受入口３７Ｋを閉塞する閉塞位置に配置され、球受入口３７Ｋに進入してガイド突壁３８上を流下する遊技球に押されて、分配ボックス３４の内側上方に押し上げられるように回動する。このとき、減速回動板４１が大きく跳ね上げられた場合には、ストッパ壁４２に当接することで回動が規制され、早期に閉塞位置に復帰する。なお、減速回動板４１における球受入口３７Ｋ側を向いた面のうち左右方向の中央には、上下方向に図示しない区画突条が上下方向に延びた状態に形成されている。
【００６０】
また、減速回動番板４１は、払出装置７２側には回動しない構成になっている。これにより、例えば、上皿２６から第１払出ダクト３４Ａを介して、或いは、下皿２７から第２払出ダクト３４Ｂを介してピアノ線などの異物を挿入して払出装置７２を故意に作動させる不正行為を行おうとしても、異物が減速回動板４１に接触して、払出装置まで届かず不正行為を抑制することが可能である。
【００６１】
小箱部３７のうち前側内面には、シート支持板３９が取り付けられ、そのシート支持板３９の表面に緩衝シート４０が敷設されている。緩衝シート４０は、ガイド突壁３８より高い位置からガイド突壁３８より下方でかつ大箱部３６との境界部分に亘る範囲に配置され、ガイド突壁３８上を流下した遊技球が緩衝シート４０に衝突して衝撃が吸収されるようになっている。
【００６２】
大箱部３６の底面からは区画突壁３６Ｔが突出している。区画突壁３６Ｔは、大箱部３６の底面における左右方向全体に亘って延び、大箱部３６における前後方向の中央より若干前寄りに配置されている。また、小箱部３７の後端面は、区画突壁３６Ｔより後側に位置し、ガイド突壁３８の先端は、区画突壁３６Ｔより前側に位置している。さらに、区画突壁３６Ｔは、大箱部３６全体の高さの略半分の大きさをなしている。そして、大箱部３６の底面のうち区画突壁３６Ｔより前側部分から第１払出ダクト３４Ａが延び、大箱部３６の底面のうち区画突壁３６Ｔより後側部分から第２払出ダクト３４Ｂが延びている。また、これら第１及び第２の払出ダクト３４Ａ，３４Ｂは共に湾曲しかつ第１払出ダクト３４Ａの下方に第２払出ダクト３４Ｂが重ねられた状態になって、払出ダクト挿通孔８１Ｈ内に挿通されている。
【００６３】
上記分配ボックス３４の構成により、本実施形態では、分配ボックス３４のうち区画突壁３６Ｔより前側部分と、区画突壁３６Ｔより後側でガイド突壁３８より上側部分とが、本発明に係る第１連通部屋３４Ｌになり、それ以外の部分が、本発明に係る第２連通部屋３４Ｍになり、さらに、区画突壁３６Ｔの上端とガイド突壁３８との間が、本発明に係る部屋間連通口３４Ｎになっている。
【００６４】
なお、区画突壁３６Ｔの前面は、第１払出ダクト３４Ａ内に位置しかつ上下方向で湾曲していて、上方から転落してきた遊技球をスムーズに前方に方向転換する。また、図１９に示すように、第１払出ダクト３４Ａは、大箱部３６から離れるに従って幅狭になり、第２払出ダクト３４Ｂも図示しないが第１払出ダクト３４Ａと同様に大箱部３６から離れるに従って幅狭になっている。
【００６５】
図１６に示すように、分配ボックス３４と払出装置７２の球排出口７２Ｘ，７２Ｘとの間は、本発明に係る複合樋５１によって連絡されている。その複合樋５１は、流路コア部品５０の一部として備えられている。その流路コア部品５０は、上下方向で払出装置７２と分配ボックス３４における大箱部３６との間に挟まれかつ、分配ボックス３４の小箱部３７の後方に重ねて配置されている。より具体的には、図２０に示すように、流路コア部品５０は、小箱部３７（図１６参照）の後面に対向した略縦長のベース壁５４を備えている。そのベース壁５４の前面における両側縁部からは、前方に１対の外側壁５５，５５が突出し、ベース壁５４の前面における上下方向の中間部からは、中段壁５６が突出していて１対の外側壁５５，５５の間を連絡している。
【００６６】
１対の外側壁５５，５５は左右対称な形状をなし、中段壁５６より上側部分に第１と第２の屈曲部Ｐ１，Ｐ２を備えている。また、第１屈曲部Ｐ１は第２屈曲部Ｐ２より上方に位置し、１対の外側壁５５，５５は第１屈曲部Ｐ１より上方部分で互いに平行になっている。そして、両外側壁５５，５５は、第１と第２の第２屈曲部Ｐ１，Ｐ２の間で下方に向かうに従って互いに接近するように傾斜し、さらに、第２屈曲部Ｐ２より下側部分では、両外側壁５５，５５が互いに平行になっている。なお、中段壁５６の前端部は外側壁５５，５５より若干前方に突出している。
【００６７】
中段壁５６より上方部分には、外側壁５５，５５の間の中央に樋区画壁５７が設けられている。そして、樋区画壁５７によって１対の外側壁５５，５５の間が、１対の個別流下樋６１，６１に区画され、これにより１対の個別流下樋６１，６１からなる複合樋５１が構成されている。
【００６８】
樋区画壁５７は、中州形突壁５８（本発明の「中州部」に相当する）と区画リブ５９とからなる。中州形突壁５８は、ベース壁５４の上端部から前記した外側壁５５の第２屈曲部Ｐ２より若干上方の位置に亘って配置されている。そして、中州形突壁５８は、下方に向かって先細り状になっている。具体的には、ベース壁５４から前方に突出した１対の屈曲板壁５８Ｋ，５８Ｋの下端同士を接続した構造になっている。１対の屈曲板壁５８Ｋ，５８Ｋは、上端部から外側壁５５の第１屈曲部Ｐ１と略同一位置までは互いに平行になって対向し、第１屈曲部Ｐ１から下側部分が下方に向かうに従って互いにＶ字状に接続されている。また、図１６に示すように、ベース壁５４の前面からの中州形突壁５８の突出量は、ベース壁５４の前面からの外側壁５５の突出量の略２／３程度になっている。
【００６９】
図２０に示すように、区画リブ５９は、外側壁５５のうち第２屈曲部Ｐ２より下側部分と平行になった平板状をなし、ベース壁５４の前面と中段壁５６の上面とに跨って一体形成されている。また、区画リブ５９の先端縁は、凹状に湾曲している。詳細には、区画リブ５９の上端部は、中州形突壁５８の下端部に接続され、その区画リブ５９の上端部におけるベース壁５４から前方への突出量が、中州形突壁５８の突出量の１／２より若干小さくなっている。そして、区画リブ５９の先端縁が中州形突壁５８から略鉛直下方に延びてから湾曲して斜め下側前方へと向かい、終端部分が水平に近い緩やかな前下がりの傾斜状態になって、中段壁５６の先端面まで達している。なお、中段壁５６を基準にして区画リブ５９の上方への突出量を説明すると、区画リブ５９の中段壁５６から上方への突出量は、中段壁５６の前端部から基端部に近づくに従って大きくなっている。
【００７０】
各個別流下樋６１は、遊技球が１つだけ通過可能な大きさをなし、各個別流下樋６１のうち区画リブ５９と外側壁５５との中央位置には、ガイドリブ６０がそれぞれ設けられている。ガイドリブ６０は、区画リブ５９と同様に、外側壁５５のうち第２屈曲部Ｐ２より下側部分と平行になった平板状をなし、ベース壁５４の前面と中段壁５６の上面とに跨って一体形成されている。また、ガイドリブ６０の先端縁は、区画リブ５９と同様に凹状に湾曲していて、ガイドリブ６０におけるベース壁５４の前面からの突出量及びガイドリブ６０における中段壁５６の上面からの突出量は、共に区画リブ５９のベース壁５４の前面及び中段壁５６の上面からの突出量より小さくなっている。そして、ガイドリブ６０の先端曲面の全体が、区画リブ５９の先端曲面より、湾曲中心から離れる側にずれている。なお、また、各ガイドリブ６０の上端部は、ベース壁５４の前面から緩やかに立ち上がり、ベース壁５４の前面に連続している。
【００７１】
１対の個別流下樋６１，６１の上端開口は、払出装置７２の球排出口７２Ｘ，７２Ｘに下方から対向している。また、１対の個別流下樋６１，６１は、上端部から第２屈曲部Ｐ２までは、分配ボックス３４の後面上端壁３７Ｔ（図１６参照）によって前方から覆われている。また、１対の個別流下樋６１，６１のうち後面上端壁３７Ｔによって覆われていない下端開口は、分配ボックス３４の球受入口３７Ｋに後方から対向している。そして、１対の個別流下樋６１，６１は、払出装置７２の球排出口７２Ｘ，７２Ｘから下方に排出された遊技球を鉛直方向に降下させて受け入れ、各外側壁５５のうち第１と第２の屈曲部Ｐ１，Ｐ２の間の傾斜部５５Ｋ（本発明の「幅寄せ部」に相当する）で遊技球を樋区画壁５７側に向かわせ（即ち、複合樋５１の幅が狭くなるようになっている）、さらに、ガイドリブ６０，６０の先端曲面によって遊技球を略水平前方に向かわせて、小箱部３７の球受入口３７Ｋへと案内する。
【００７２】
ここで、本実施形態では、複合樋５１のうち区画リブ５９の先端面の先方部分が、本発明に係る媒体進入許容部１００になっている。また、図１８に示すように、ガイドリブ６０の先端曲面と、区画リブ５９の先端曲面とのズレ量は、遊技球の半径より若干小さくなっていて、これにより、１対の個別流下樋６１，６１を流下する遊技球の一部が共に媒体進入許容部１００に進入可能になっている。さらに、媒体進入許容部１００は、１対の個別流下樋６１，６１の双方から遊技球が進入した際に、それら遊技球同士が媒体進入許容部１００内で接触可能な大きさになっている。即ち、一方と他方の個別流下樋６１，６１から媒体進入許容部１００を介して遊技媒体が進入した部分は、個別流下樋６１，６１の共通流下領域となっている。特に本実施形態では、この共通流下領域は、複合樋５１の幅が他の部分（即ち、共通流下領域より上方の部分）よりも狭くなっている部分にある。従って、複合樋５１の幅が狭い部分であっても、遊技球は媒体進入許容部１００を介して流下することができる。また、媒体進入許容部１００が形成された部分では遊技球が鉛直方向から水平方向に方向を変更される部分であるので、遠心力が作用して遊技球がガイドリブ６０に押し付けられる。これにより、遊技球が一方の個別流下樋６１から他方の個別流下樋６１へと媒体進入許容部１００を通過する動作が防がれている。
【００７３】
図２０に示すように、流路コア部品５０のうちベース壁５４の上部後方には、軸方向が左右方向を向いた角筒部５２が形成されている。その角筒部５２は、ベース壁５４の上端部を後方側に向けて四角形に巻回した構造をなしている。また、流路コア部品５０の後面には、両側縁部から１対の後部対向壁５３，５３が後方に張り出している。それら後部対向壁５３，５３は、角筒部５２の後面から下面、さらに、ベース壁５４のうち角筒部５２より下側部分に亘る範囲に形成されている。
【００７４】
図１６に示すように、流路コア部品５０の上面には後面樋カバー６９が取り付けられ、その後面樋カバー６９が後部対向壁５３，５３の間の後面側の開口を閉塞して球抜流下経路Ｒ３の上側部分が形成している。また、後面樋カバー６９は、大箱部３６の後面を覆っていて、その大箱部３６の後面との間に球抜流下経路Ｒ３の中間部分を形成している。さらに、図５に示すように、大箱部３６の側面には、角筒状の案内筒３６Ｄが形成されていて、後面樋カバー６９の下端部が案内筒３６Ｄの後端部に接続され（図４参照）、その案内筒３６Ｄの前端部が前記した球回収ダクト８１Ｄ（図示せず）に接続されている。これにより、払出装置７２からの抜き球が、球抜流下経路Ｒ３を通して球回収ダクト８１Ｄに流下する。
【００７５】
本実施形態のパチンコ遊技機１０の構成に関する説明は以上である。次に、このパチンコ遊技機１０の作用効果について説明する。図１に示した操作ノブ２８を操作して複数の遊技球を遊技領域Ｒ１に打ち込むと、それら遊技球が遊技領域Ｒ１を流下する途中で所定の入賞口１４，１５，２０，２１に入賞し、これが遊技板１１の裏面に備えた遊技球検出スイッチにて検出され、その検出信号が払出制御基板３２Ｌ（図６）に付与される。そして、払出装置７２が払出制御基板３２Ｌに制御されて、複合樋５１の個別流下樋６１，６１へと複数の遊技球を１つずつ交互に排出する。
【００７６】
すると、図１６に示すように、各遊技球が、各個別流下樋６１内を最初は鉛直落下し、途中で徐々に前方に向かうように方向変換され、分配ボックス３４の後面の球受入口３７Ｋから分配ボックス３４内に進入する。そして、遊技球が分配ボックス３４内のガイド突壁３８上を転動しながら減速回動板４１を押し上げて通過する。遊技球は、減速回動板４１にて流下速度を抑制されて、ガイド突壁３８の先端から斜め前方に落下する。このとき、一部の遊技球が分配ボックス３４内の前側内面に衝突し得るが、そこには緩衝シート４０が敷設されているので衝撃が吸収されて、遊技球の後方への跳ね返り距離が抑えられる。
【００７７】
これにより、遊技球が分配ボックス３４の下端部前側に集められ、そこに開口した第１払出ダクト３４Ａ内へと落下する。そして、第１払出ダクト３４Ａから上皿２６へと遊技球が払い出される。ここで、上皿２６が遊技球で満杯になり、第１払出ダクト３４Ａにおける分配ボックス３４内の始端部まで遊技球が満たされると、ガイド突壁３８から落下した遊技球が、第１払出ダクト３４Ａの始端部に満たされた遊技球に衝突して区画突壁３６Ｔを乗り越え、分配ボックス３４の底面における後側部分に開口した第２払出ダクト３４Ｂ内へと落下する。そして、第２払出ダクト３４Ｂから下皿２７へと遊技球が払い出される。なお、下皿２７が満杯になると、図１０に示した満杯検出センサ９０がオンし、その旨が遊技者及び遊技ホールの管理室内に報知される。
【００７８】
さて、本実施形態では、分配ボックス３４に遊技球を後方から略水平に進入させることで、上記した減速回動板４１及び緩衝シート４０による減速効果を得て、遊技球を第１払出ダクト３４Ａ側に向かわせている。そのために、複合樋５１は、払出装置７２から鉛直下方に排出された遊技球を略水平前方に向かうように流下方向を変更している。また、分配ボックス３４における球受入口３７Ｋの幅を狭くしてコンパクトな構成にするために、払出装置７２の両球排出口７２Ｘ，７２Ｘから排出された遊技球を接近させる側に流下方向を変更している。
【００７９】
具体的には、複合樋５１に備えた１対の個別流下樋６１，６１が、払出装置７２の球排出口７２Ｘ，７２Ｘから排出された遊技球を鉛直方向に降下させて受け入れ、各外側壁５５のうち第１と第２の屈曲部Ｐ１，Ｐ２の間の傾斜部５５Ｋで遊技球を樋区画壁５７側に向かわせる。そして、ガイドリブ６０，６０の先端曲面によって遊技球の流下方向を鉛直下方から略水平前方に変更して、小箱部３７の球受入口３７Ｋへと向かわせる。
【００８０】
ここで、本実施形態のパチンコ遊技機１０では、複合樋５１のうち個別流下樋６１，６１の間を区画する部分に、遊技球の一部が進入可能な媒体進入許容部１００を備えているので、各個別流下樋６１の幅を広げずにその幅方向で遊技球の移動の自由度が高くなり、遊技球をスムーズに流下させることが可能になる。また、その媒体進入許容部１００を樋区画壁５７のうち外側壁５５の傾斜部５５Ｋに案内された遊技球が当接する部分とその下方とに跨って形成したので、遊技球の一部が媒体進入許容部１００に進入し易くなり、媒体進入許容部１００の有効利用が図られて遊技球がスムーズに流下するようになる。
【００８１】
さらに、媒体進入許容部１００は前述の如く、遊技球全体が通過不可能になっているので、各個別流下樋６１毎に遊技球を区分けした状態を維持して流下させることができる。しかも、媒体進入許容部１００は、１対の個別流下樋６１の双方から進入した遊技球同士が接触可能な大きさになっているので、一方の個別流下樋６１を流下する遊技球の一部が媒体進入許容部１００に進入する場合も、他方の個別流下樋６１を流下する遊技球の一部が媒体進入許容部１００に進入する場合も、それらの進入方向の奥部まで遊技球を進入させることができ、媒体進入許容部１００の有効利用が図られる。
【００８２】
このように、本実施形態のパチンコ遊技機１０では、従来よりもスムーズに遊技球を流下させることができるので、遊技ホールの作業者の作業軽減が図られると共に、遊技者へのストレスを減らして遊技を楽しませることができる。また、複合樋５１の内部に備えたガイドリブ６１，６１によって遊技球を案内するので、複合樋５１のうちガイドリブ６１，６１が立ち上がった外郭部分（ベース壁５４，中段壁５６）の壁の形状を簡素化することができる。さらには、払出装置７２が１対の個別流下樋６１，６１内へと遊技球を１つずつ交互に排出するので、１対の個別流下樋６１，６１の双方から進入した遊技球同士が媒体進入許容部１００内で接触する確率が下がり、一方の個別流下樋６１から遊技球が媒体進入許容部１００に進入した場合も、他方の個別流下樋６１から遊技球が媒体進入許容部１００に進入した場合も、遊技球が媒体進入許容部１００のより一層奥部まで進入することができる。これにより、個別流下樋６１の幅方向で遊技球の移動の自由度が更に高くなり、各遊技球がさらにスムーズに流下する。
【００８３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００８４】
（１）図２１に示した流路コア部品５０Ｖのように、第１実施形態の区画リブ５９よりも中段壁５６からの突出量が小さな区画リブ５９Ｖを備え、その先端部を三角形状とした構成であってもよい。
【００８５】
（２）前記実施形態では個別流下樋６１，６１にガイドリブ６０，６０が設けられていたが、ベース壁５４の前面を遊技球が前方に案内されるように凹状に湾曲させてもよい。
【００８６】
（３）図２２（Ａ）に示すように、媒体進入許容部１００Ｖが、流下方向の側方が全て覆われた複合樋１５２のうち天井壁１５２Ｔに備えた突壁１５３の下方に形成されてもよいし、図２２（Ｂ）に示すように、底壁１５２Ｓに備えた突壁１５４の上方に形成されてもよい。
【００８７】
（４）図２３に示すように、媒体進入許容部１００Ｘが、上面開放した複合樋１５２Ｘに備えた樋区画壁５７Ｘに、複数貫通形成されてもよい。
【００８８】
（５）前記実施形態の複合樋５１は個別流下樋６１を２つ備えていたが、個別流下樋を３つ以上、例えば、４つ備えていてもよい。
【００８９】
（６）前記実施形態では、払出装置７２と分配ボックス３４とを連絡する連通樋５１に本発明が適用されていたが、図２４に示すように、タンク貯留部７５に連絡された上辺樋１１１に本発明を適用してもよい。具体的には、上辺樋１１１内を上辺個別流下樋１１１Ａ，１１１Ａに区画する樋区画壁１１０の上部を切り欠いて、媒体進入許容部１１２が形成される。
【００９０】
（７）また、前期実施形態における側辺樋７９に本発明が適用されてもよい。
【００９１】
（８）前記実施形態では、遊技媒体は、球状であったが、例えば、ラグビーボールのような楕円体であってもよいし、サッカーボールのような多面体であってもよい。
【符号の説明】
【００９２】
１０    パチンコ遊技機
２６    上皿（第１貯留部）
２７    下皿（第２貯留部）
３４    分配ボックス
３４Ａ    第１払出ダクト
３４Ｂ    第２払出ダクト
３４Ｌ    第１連通部屋
３４Ｍ    第２連通部屋
３４Ｎ    部屋間連通口
３６Ｔ    区画突壁
５０    流路コア部品
５１    複合樋
５４    ベース壁
５５    外側壁
５５Ｋ    傾斜部（幅寄せ部）
５６    中段壁
５７    樋区画壁
５８    中州形突壁（中州部）
５９    区画リブ
６０    ガイドリブ
６１    個別流下樋
７２    払出装置
７２Ｘ    球排出口
７５    貯留タンク
７８，１１１    上辺樋
７９    側辺樋
１００    媒体進入許容部
Ｐ１    第１屈曲部
Ｐ２    第２屈曲部
【図１】
2011010712.tif 000003
【図２】
2011010712.tif 000004
【図３】
2011010712.tif 000005
【図４】
2011010712.tif 000006
【図５】
2011010712.tif 000007
【図６】
2011010712.tif 000008
【図７】
2011010712.tif 000009
【図８】
2011010712.tif 000010
【図９】
2011010712.tif 000011
【図１０】
2011010712.tif 000012
【図１１】
2011010712.tif 000013
【図１２】
2011010712.tif 000014
【図１３】
2011010712.tif 000015
【図１４】
2011010712.tif 000016
【図１５】
2011010712.tif 000017
【図１６】
2011010712.tif 000018
【図１７】
2011010712.tif 000019
【図１８】
2011010712.tif 000020
【図１９】
2011010712.tif 000021
【図２０】
2011010712.tif 000022
【図２１】
2011010712.tif 000023
【図２２】
2011010712.tif 000024
【図２３】
2011010712.tif 000025
【図２４】
2011010712.tif 000026